(57)【要約】【課題】釘の疲労破壊を抑制し、かつ、釘調整作業時に釘植設部の周囲を破損させることなく容易に釘調整することができるようにした耐久性に優れたパチンコ機の遊技盤を提供することである。【解決手段】合成樹脂からなる遊技板１２の前面にガイドレール１３を取付け、そのガイドレール１３に囲まれた内側の遊技領域１１に打ち付けられた多数の釘１４のうち、遊技球Ｂとの衝突によって疲労破壊し易い釘１４の周囲に半円弧状の長孔からなる貫通孔２１を対称位置に形成して、貫通孔２１と釘１４との間に薄肉厚の柱部２２を形成する。遊技球が釘１４に衝突した際の衝撃力により柱部２２を弾性変形させ、その変形により衝撃力を吸収して釘１４が疲労により破損するのを防止する。遊技板１２の後面側に駆動装置により貫通孔２１に向けて移動されるアダプタ部材３０を設け、そのアダプタ部材３０の先端部を貫通孔２１に嵌合して、釘調整を行うようにして柱部２２が破損するのを防止する。【選択図】図５
2010088609.tif 000002
【特許請求の範囲】
【請求項１】
合成樹脂からなる遊技板の前面にガイドレールを取付け、そのガイドレールに囲まれた内側が遊技領域とされ、その遊技領域に発射装置から発射された遊技球の落下方向を分散、調整する多数の釘を植設したパチンコ機の遊技盤において、
前記遊技板の前面に植設された釘の周囲に、遊技板の前面から後面に貫通してその釘との間に弾性変形可能な薄肉部を形成する貫通孔を設け、前記遊技板の後面側には、その貫通孔に対して先端部が嵌合可能なアダプタ部材を配置し、このアダプタ部材を、その先端部が前記貫通孔に対する抜き差し方向へ変位するよう移動させることで、その先端部の前記貫通孔に対する嵌り込み量を調整する駆動装置を設けたことを特徴とするパチンコ機の遊技盤。
【請求項２】
前記貫通孔が、釘を中心とする円弧状とされ、その円弧状貫通孔の２つが釘を基準にして対象位置に設けられ、前記アダプタ部材の先端部には２つの嵌合片が二股状に形成され、その嵌合片のそれぞれが、２つの貫通孔のそれぞれに対して嵌合可能な断面円弧状とされた請求項１記載のパチンコ機の遊技盤。
【発明の詳細な説明】
【技術分野】
【０００１】
この発明は、パチンコ機の遊技盤に関し、特に合成樹脂により成形された遊技盤に関する。
【背景技術】
【０００２】
一般に、パチンコ機においては、外枠の一側部により中枠の一側部を軸支して開閉可能に支持し、その中枠の前面を覆うガラス枠等の前面枠の一側部を上記中枠で軸支して開閉可能とし、上記中枠に遊技盤を取付けるようにしている。
【０００３】
遊技盤は、遊技板を有し、その遊技板の前面にガイドレールを取付け、そのガイドレールの内側に形成された遊技領域に、遊技球の落下方向を分散、調整するための多数の釘や風車、液晶表示器、始動入賞装置、特別可変入賞装置等の各種の遊技部品を取付けている。
【０００４】
ここで、遊技盤における遊技板として、特許文献１あるいは特許文献２に記載されているように、ポリメチルメタクリレート（ＰＭＭＡ）等のアクリル樹脂やＡＢＳ樹脂等の合成樹脂からなるものが知られている。この合成樹脂製の遊技板においては、強度を得るために厚さを厚くすると、成形の際に多量の樹脂を必要とし、また、遊技板が重くなって取り扱いが困難となる。
【０００５】
そのため、合成樹脂製の遊技板においては、可及的に厚さを薄くし、あるいは、内部に発泡部を形成して軽量化を図り、後面にはボス部を成形し、そのボス部に遊技板の前面で開口する下孔を形成し、その下孔に釘を打ち付けて釘の支持の安定化を図るようにしている。
【０００６】
【特許文献１】特開平１１−９９２４４号公報
【特許文献２】特開平１１−１５１３５０号公報
【発明の開示】
【発明が解決しようとする課題】
【０００７】
ところで、合成樹脂製の遊技板においては、ベニヤ合板からなる木製の遊技板に比較して硬度が高く、遊技球が釘に衝突した際の衝撃吸収性が低いため、釘が疲労破壊し易い。特に、盤面の中央上部に打ち付けられた天釘と称される複数の釘や球止めゴムの周囲に打ち付けられた釘、始動入賞装置の上部に打ち付けられた命釘と称される２本の釘、その命釘の両サイドに位置するジャンプ釘と称される釘には遊技球が繰り返し衝突するため、疲労が蓄積されて疲労破壊し易い。
【０００８】
この発明の課題は、釘の疲労破壊を抑制し、かつ、釘調整作業時に釘植設部の周囲を破損させることなく容易に釘調整することができるようにした耐久性に優れたパチンコ機の遊技盤を提供することである。
【課題を解決するための手段】
【０００９】
上記の課題を解決するために、この発明においては、合成樹脂からなる遊技板の前面にガイドレールを取付け、そのガイドレールに囲まれた内側が遊技領域とされ、その遊技領域に発射装置から発射された遊技球の落下方向を分散、調整する多数の釘を植設したパチンコ機の遊技盤において、前記遊技板の前面に植設された釘の周囲に、遊技板の前面から後面に貫通してその釘との間に弾性変形可能な薄肉部を形成する貫通孔を設け、前記遊技板の後面側には、その貫通孔に対して先端部が嵌合可能なアダプタ部材を配置し、このアダプタ部材を、その先端部が前記貫通孔に対する抜き差し方向へ変位するよう移動させることで、その先端部の前記貫通孔に対する嵌り込み量を調整する駆動装置を設けた構成を採用したのである。
【００１０】
ここで、貫通孔は多数の釘の全てを対象に形成してもよく、あるいは、遊技球が頻繁に衝突して疲労破壊し易い釘、例えば、盤面の中央上部に打込まれた天釘と称される複数の釘（以下、天釘という）やガイドレールによって案内される遊技球を衝突させて減勢する球止めゴムの周囲の釘、始動入賞装置の上部に打ち込まれた命釘と称される２本の釘（以下、命釘という）、その命釘の両サイドに位置するジャンプ釘と称される釘（以下、ジャンプ釘という）等を対象に形成してもよい。
【００１１】
上記のように、釘の周囲に、その釘との間に薄肉部を形成する貫通孔を設けると、釘に対する遊技球の衝突時、上記薄肉部が弾性変形する。その弾性変形によって衝突時の衝撃力が吸収され、釘が疲労破壊するのを抑制することができる。
【００１２】
ここで、貫通孔の形状は任意である。釘を中心とする円弧状とし、その貫通孔２つを釘を基準にして対称位置に設けると、貫通孔間に釘を保持する両持ち支持の弾性変形が容易な薄肉部としての柱部が形成されるため、遊技球が釘に衝突した際の衝撃力をより効果的に吸収することができる。この場合、アダプタ部材には、その先端部に各貫通孔のそれぞれに対応して２つの嵌合片を二股状に形成し、その２つの嵌合片のそれぞれを２つの貫通孔のそれぞれに対応して嵌合可能な断面円弧状とする。
【００１３】
一般に、パチンコ機においては、遊技球が釘間に引っ掛かるのを防止するため、ゲージを用いて釘調整することが行なわれる。その釘調整に際し、釘の頭部をハンマで叩くと、薄肉部の弾性変形によりハンマの打撃力が吸収されて、釘を効果的に調整することができず、また、上記薄肉部が破損するおそれがある。
【００１４】
そこで、釘調整する場合は、駆動装置の作動により、アダプタ部材を貫通孔に向けて移動させて、その貫通孔内にアダプタ部材の先端部を嵌合する。その嵌合によって薄肉部が弾性変形するのが防止されるため、ハンマの打撃力は釘に直接作用することになり、薄肉部を破損させることなく釘調整を効果的に行なうことができる。
【００１５】
ここで、釘調整は、調整対象の釘の間をゲージで計測し、釘の頭をハンマで叩き、その調整具合をゲージで確認することが行なわれる。このとき、先端部が貫通孔に対して嵌合可能な握り部付きのアダプタ冶具を貫通孔に対して人手により嵌合する構成であると、アダプタ冶具に片手を添えてその嵌合状態を確保する必要があるため、ハンマとゲージとを交互に持ち替えて釘調整作業を行なう必要が生じ、能率よく釘調整することができない。
【００１６】
しかし、この発明のアダプタ部材は駆動装置の作動により遊技板の後面側から貫通孔に嵌合されるため、釘の頭をハンマで叩く作業と調整対象の釘の間の間隔をゲージで確認する作業を両手で行なうことができ、釘調整作業を従来と同様に能率よく行なうことができる。
【００１７】
この発明に係るパチンコ機の遊技盤において、アダプタ部材を貫通孔に対して移動させる駆動装置として、直動形ソレノイドを採用することができる。
【００１８】
上記直動形ソレノイドに代えて、ナット部材にねじ係合されたねじ軸をステッピングモータで回転させてねじ軸を回転させつつ軸方向に移動させ、その軸方向移動によりアダプタ部材を貫通孔に向けて移動させるリニアステッピングアクチュエータを採用すると、アダプタ部材を貫通孔から抜け出る退避位置と、貫通孔に嵌合する嵌合位置と、その中間の任意の位置で停止状態に保持することができる。このため、貫通孔に対してのアダプタ部材の先端部の嵌り込み量を調整することができ、その嵌り込み量により薄肉部の弾性変形状態が変化し、釘に遊技球が衝突して跳ね返る際の反発状態が変化するため、上記嵌り込み具合の調整を釘調整の代用とすることができる。
【００１９】
また、上記直動形ソレノイドに代えて、アダプタ部材の後面に連結されたラックと、そのラックに噛合するピニオンと、そのピニオンを回転駆動するステッピングモータとからなるものを採用することにより、上記リニアステッピングアクチュエータと同様に、アダプタ部材を貫通孔から抜け出る退避位置と、貫通孔に嵌合する嵌合位置と、その中間の任意の位置で停止状態に保持することができ、この場合においても、アダプタ部材の嵌り込み量の調整を釘調整の代用とすることができる。
【発明の効果】
【００２０】
上記のように、この発明に係るパチンコ機の遊技盤においては、釘の周囲に、その釘との間で薄肉部を形成する貫通孔を設けたことにより、遊技球が釘に衝突した際の衝撃力を上記薄肉部の弾性変形により吸収することができ、釘の疲労破壊を抑制し、耐久性の向上を図ることができる。
【００２１】
また、貫通孔に対して嵌合可能なアダプタ部材を遊技板の後面側に配置し、そのアダプタ部材の先端部が貫通孔に対して抜き差しする方向にアダプタ部材を移動させる駆動装置を設けたことにより、上記アダプタ部材の先端部を貫通孔に嵌合することによって、薄肉部が弾性変形するのを防止することができ、薄肉部を破損させることなく釘調整を効果的に行なうことができる。
【発明を実施するための最良の形態】
【００２２】
以下、この発明の実施の形態を図面に基づいて説明する。図１に示すように、パチンコ機は、縦長な矩形状に枠組みされた外枠１を有し、その外枠１の一側部に上下で対向するヒンジ片２が固定され、そのヒンジ片２によりパチンコ機の主要構成部を支持する板状の中枠３の一側部が軸支されて開閉可能に支持されている。
【００２３】
中枠３の表側には、上皿５を有する前面枠４が設けられている。前面枠４は、その一側部が中枠３に軸支されて開閉自在とされ、閉鎖状態において中枠３の前面を覆うようになっており、その前面枠４の下側に下皿７を有する皿板６が設けられている。ここで、前面枠４は、ガラス板の周囲に縁枠を設けたものであってもよく、あるいは、アクリル樹脂板の周囲に縁枠を設けたものであってもよい。
【００２４】
皿板６の右側には発射ハンドル８が取付けられ、その発射ハンドル８に設けられた発射レバー９を回動操作することにより、上皿５に貯留された遊技球が図示省略した球送り機構を介して発射装置に送り込まれた後、中枠３に支持された図２に示す遊技盤１０の遊技領域１１に発射されるようになっている。
【００２５】
遊技盤１０は、アクリル樹脂やＡＢＳ樹脂等の合成樹脂からなる遊技板１２を有し、その遊技板１２の前面に取付けられたガイドレール１３の内側が遊技領域１１とされている。遊技領域１１には、遊技球の落下方向を分散、調整するための多数の釘１４や風車１５、液晶表示器１６、始動入賞装置１７、特別可変入賞装置１８等の遊技部品が取付けられている。また、上記液晶表示器１６を囲むようにしてセンタ飾り１９が設けられている。
【００２６】
ここで、遊技領域１１に発射された遊技球が、その遊技領域１１に落下して始動入賞装置１７に入賞すると、液晶表示器１６の表示画面に特別図柄の変動表示が所定時間行われ、複数の特別図柄が特定の停止表示態様で停止表示されると、大当たり遊技状態が発生し、特別可変入賞装置１８の入口を塞いでいた扉１８ａが予め定められた作動条件に従って開閉するようになっている。
【００２７】
センタ飾り１９として、ここでは、ガイドレール１３との間に通路２０を形成する左右非対象のものが示されている。このようなパチンコ機での遊技に際して、通路２０に遊技球が打ち込まれると、始動入賞装置１７に入賞する確率が低いため、遊技者は、普通、図３の矢印で示すように、通路２０の入口に設けられた釘１４ａやセンタ飾り１９の中央上部に設けられた２本の天釘１４ｂに遊技球Ｂが衝突するようハンドル調整し、センタ飾り１９の左側の遊技領域１１に遊技球を落下させて始動入賞装置１７に入賞させる打ち込み方法を採用するのが一般的である。
【００２８】
このため、通路２０の入口に設けられた釘１４ａや２本の天釘１４ｂ、あるいは、その周辺の釘１４は遊技球Ｂとの衝突によって疲労が蓄積し、破損し易い。
【００２９】
また、始動入賞装置１７の上方には、図４に示すように、２本の命釘１４ｃが設けられ、その命釘１４ｃの両サイドにジャンプ釘１４ｄが設けられ、これらの各釘１４ｃ、１４ｄは、風車１５の右下から上記ジャンプ釘１４ｄまで連続して並ぶ道釘１４ｅと異なって遊技球Ｂが衝突した際の衝撃力を単独で受けるため、疲労によって破損し易い。
【００３０】
上記のような疲労破壊し易い釘１４ａ乃至ｄを対象にして、図３乃至図６に示すように、遊技板１２には上記各種の釘１４ａ乃至ｄの周囲に遊技板１２の前面から後面に貫通する衝撃吸収用の貫通孔２１が形成されている。
【００３１】
貫通孔２１は、各種釘１４ａ乃至ｄのそれぞれを曲率の中心とする円弧状の長孔からなっている。この円弧状の長孔からなる貫通孔２１は、各種の釘１４ａ乃至ｄのそれぞれを対称点として対称位置に設けられ、その対称配置の一対の貫通孔２１間に釘１４ａ乃至ｄを保持する両持ち支持の弾性変形が容易な薄肉部としての柱部２２が形成される。
【００３２】
上記のように、貫通孔２１の形成によって薄肉部としての柱部２２を設けることによって、各種の釘１４ａ乃至ｄに遊技球Ｂが衝突すると、その衝突時の衝撃力によって柱部２２が弾性変形し、その変形により衝撃力が吸収される。
【００３３】
このため、各種の釘１４ａ乃至ｄは疲労破壊することは少なく、耐久性の低下を抑制することができる。
【００３４】
ここで、各種の釘１４ａ乃至ｄに対する遊技球の衝突方向は予め想定されるため、対称配置の貫通孔２１は、遊技球の衝突方向に並んで設けるのが好ましい。
【００３５】
図５に示すように、遊技板１２に円弧状の長孔からなる貫通孔２１を設ける場合は、貫通孔２１の外壁面の半径ｒ１が遊技球Ｂの半径ｒ２と釘１４ｂの半径ｄ１を加えた値以下（ｒ１≦ｒ２＋ｄ１）となるようにしておく。
【００３６】
貫通孔２１と遊技球Ｂおよび釘１４ｂの相互間に上記のような寸法関係を満足させることにより、遊技板１２上を転動する遊技球Ｂが貫通孔２１に引っ掛かりが生じて転動が阻害されるのを防止することができる。したがって、遊技店においては、従来の遊技盤と同程度に釘調整を行なうことができるので、扱い易く好都合である。
【００３７】
一般に、パチンコ機においては、遊技球Ｂが釘１４間に引っ掛かるのを防止するため、ゲージを用いて釘調整することが行なわれる。その釘調整に際して、柱部２２の長さ方向と直交する方向に釘１４ａ乃至ｄの頭部を叩打する必要が有る場合、柱部２２が変形して、調整が困難となり、また、柱部２２が破損する可能性がある。
【００３８】
そのような不都合の発生を防止するため、実施の形態では、図５および図６に示すように、遊技板１２の後面側に貫通孔２１に対して先端部が嵌合可能なアダプタ部材３０と、そのアダプタ部材３０の先端部が貫通孔２１に対する抜き差しされる方向へアダプタ部材を変位させる駆動装置としての直動形ソレノイド３１を設け、釘の調整時、上記直動形ソレノイド３１を作動させ、アダプタ部材３０の先端部を貫通孔２１内に嵌合させるようにしている。
【００３９】
ここで、アダプタ部材３０は、先端部が二股とされて２つの嵌合片３０ａが形成され、各嵌合片３０ａは断面が円弧状とされて２つの貫通孔２１のそれぞれに対して嵌合可能とされている。
【００４０】
図５（I）は、アダプタ部材３０の嵌合片３０ａが貫通孔２１から抜け出した退避位置に保持されている状態を示し、（II）はアダプタ部材３０の嵌合片３０ａが貫通孔２１に嵌り込む嵌合位置に保持された状態を示している。その嵌合位置において、薄肉部２２はアダプタ部材３０によって弾性変形するのが防止されるため、ハンマの打撃力は減衰されることなく釘の頭部に付与されることになる。このため、薄肉部２２を破損させることなく釘調整を効果的に行なうことができる。
【００４１】
図５に示す例においては、駆動装置として直動形ソレノイド３１を採用したが、駆動装置はこれに限定されるものではない。図７および図８は駆動装置の他の例を示す。
【００４２】
図７に示す駆動装置は、リニアステッピングアクチュエータ３３からなっている。このリニアステッピングアクチュエータ３３においては、モータハウジング３７ａに対して回り止めされたナット部材３５にねじ軸３６をねじ係合し、そのねじ軸３６をステッピングモータ３７で回転させて軸方向に移動させるようにしている。
【００４３】
ここで、ステッピングモータ３７は、モータハウジング３７ａ内に組込まれた固定のステータ３８と、そのステータ３８内に組込まれたロータ３９とを有し、上記ステータ３８のステータコイル３８ａに対する通電によりロータ３９を回転させるようにしており、上記ロータ３９内にねじ軸３６を挿通してロータ３９に固定している。
【００４４】
上記のようなリニアステッピングアクチュエータ３３の採用においては、例えば、遊技板１２の後面に支持フレーム４０を固定して、その支持フレーム４０でモータハウジング３７ａを支持し、上記支持フレーム４０内にアダプタ部材３０を組込んで回り止めし、かつ、軸方向に移動自在に支持し、そのアダプタ部材３０を遊技板１２との間に組込んだ弾性部材４１でねじ軸３６の先端に取り付けられたボール４２と当接する方向に向けて付勢する。
【００４５】
アダプタ部材３０の回り止めに際し、ここでは、アダプタ部材３０の外周に軸方向に延びる複数の溝４３ａを形成し、各溝４３ａにスライド自在に嵌合される回り止め片４３ｂを支持フレーム４０に固定している。
【００４６】
上記のようなリニアステッピングアクチュエータ３３を採用すると、アダプタ部材３０の嵌合片３０ａを貫通孔２１から抜け出した退避位置と、貫通孔２１内に嵌る嵌合位置と、その中間の任意の位置で停止状態に保持することができるため、貫通孔２１に対してのアダプタ部材３０の嵌合片３０ａの嵌り込み量を調整することができる。その嵌り込み量の調整により薄肉部２２の弾性変形状態が変化し、釘に遊技球Ｂが衝突して跳ね返る際の反発状態が変化するため、上記嵌り込み具合の調整を釘調整の代用とすることができる。
【００４７】
なお、アダプタ部材３０とねじ軸３６とを回転可能に、かつ、軸方向に係合する連結とすることにより、弾性部材４１を省略することができる。
【００４８】
図８に示す駆動装置は、アダプタ部材３０の後面に連結されたラック４４と、そのラック４４に噛合するピニオン４５と、そのピニオン４５を回転駆動するステッピングモータ４６とからなっている。
【００４９】
図８に示す駆動装置を採用することにより、上記リニアステッピングアクチュエータ３３と同様に、アダプタ部材３０を退避位置と、嵌合位置と、その中間の任意の位置で停止状態に保持することができるため、この場合においても、アダプタ部材３０の嵌り込み具合の調整を釘調整の代用とすることができる。
【００５０】
実施の形態においては、通路２０の入口に設けられた釘１４ａや２本の天釘１４ｂ、始動入賞装置１７の上方に設けられた２本の命釘１４ｃ、その命釘１４ｃの両サイドに位置するジャンプ釘１４ｄの周囲それぞれに貫通孔２１を形成するようにしたが、上記各種の釘の少なくとも１本を対象にして貫通孔２１を設けるようにしてもよい。また、貫通孔２１を形成する対象の釘は上記のものに限定されるものではなく、パチンコ機の機種に応じて疲労破壊し易い釘を対象にして貫通孔を設けるようにする。そして、その貫通孔のそれぞれに対してアダプタ部材を嵌合自在に設けるようにする。
【図面の簡単な説明】
【００５１】
【図１】この発明に係る遊技盤をセットしたパチンコ機の正面図
【図２】遊技板を示す正面図
【図３】図２の遊技板の上側一部を拡大して示す正面図
【図４】図２の遊技板の始動入賞装置部分を拡大して示す正面図
【図５】（I）は、図３のａ−ａ線に沿った断面図、（II）は、アダプタ部材の嵌合状態を示す断面図
【図６】図５（I）の一部切欠斜視図
【図７】（I）は、駆動装置の他の例を示す断面図、（II）は、（I）のｂ−ｂ線に沿った断面図
【図８】駆動装置のさらに他の例を示す概略図
【符号の説明】
【００５２】
１０・・・遊技盤、１１・・・遊技領域、１２・・・遊技板、１３・・・ガイドレール、１４・・・釘、２１・・・貫通孔、２２・・・柱部（薄肉部）、３０・・・アダプタ部材、３０ａ・・・嵌合片、３１・・・直動形ソレノイド、３３・・・リニアステッピングアクチュエータ（駆動装置）、４４・・・ラック、４５・・・ピニオン、４６・・・ステッピングモータ
【図１】
2010088609.tif 000003
【図２】
2010088609.tif 000004
【図３】
2010088609.tif 000005
【図４】
2010088609.tif 000006
【図５】
2010088609.tif 000007
【図６】
2010088609.tif 000008
【図７】
2010088609.tif 000009
【図８】
2010088609.tif 000010